(57)【特許請求の範囲】
【請求項１】
輝度信号と変調された色信号にコピー禁止信号が重畳された映像信号を処理する映像信号処理装置において、
前記映像信号のカラーバースト部を検出するカラーバースト部検出手段と、  該カラーバーストに応じて前記変調された色信号を復調する色信号復調手段と、
前記映像信号から同期信号を分離する同期分離手段と、
前記映像信号が標準信号であるか否かを判別する非標準判別手段と、
前記復調された色信号と前記分離された同期信号と前記判別された非標準判別信号とから前記コピー禁止信号を検出するコピー禁止信号検出手段と、
を具備することを特徴とする映像信号処理装置。
【請求項２】
請求項１に記載の映像信号処理装置において、
前記コピー禁止信号検出手段での検出結果を基にコピー禁止信号が重畳されているか否かを判定する判定手段を具備することを特徴とする映像信号処理装置。
【請求項３】
請求項１または請求項２に記載の映像信号処理装置において、
前記非標準判別手段で前記映像信号が非標準信号であると判定された場合、前記コピー禁止信号検出手段の検出結果または前記判定手段の判定結果を無効とすることを特徴とする映像信号処理装置。
【発明の詳細な説明】
【０００１】
【発明の属する技術分野】
本発明は、入力された映像信号に挿入されたコピー禁止信号を検出および判定する映像信号処理装置に関するものであり、特にコピー禁止信号の１つであるカラーストライプ信号に適したものである。
【０００２】
【従来の技術】
図２に従来のカラーストライプ検出装置の構成を示す。図２において、入力信号はコンポジット信号またはセパレート信号である。コンポジット信号はライン２４に入力され、セパレート信号時は、セパレート輝度信号がライン２４に、セパレートクロマ信号がライン２５に入力される。ライン２４及びライン２５は端子Ｔに接続され、端子Ｔの出力は、コンポジット信号入力時は、コンポジット信号が出力され、セパレート信号入力時は、セパレートクロマ信号が出力される。
【０００３】
また、ライン２４は、同期分離部（１８）に接続され、同期分離部（１８）は、入力された映像信号から水平同期信号と垂直同期信号を分離する。同期分離によって得られた水平同期信号と垂直同期信号は、カラーバースト付加期間パルス生成部（１９）に出力され、カラーバースト付加期間パルス生成部（１９）は、カラーバースト付加期間を判別するためのカラーバースト付加期間パルスを生成す  る。そして、カラーバースト付加期間パルスは、後述するカラーストライプ検出部（２３）へ出力される。
【０００４】
端子Ｔの出力（コンポジット信号またはセパレートクロマ信号）は、２次元ＹＣ分離部（２０）へ出力されるとともに、１ライン分のＦＩＦＯ形式のメモリであるラインメモリ（２２Ａ）へ出力される。ラインメモリ（２２Ａ）は、入力された信号を１Ｈ（１ライン）遅延し、２次元ＹＣ分離部（２０）へ出力するとともに、ラインメモリ（２２Ｂ）に出力する。ラインメモリ（２２Ｂ）は、入力された信号を１Ｈ遅延し、２次元ＹＣ分離部（２０）へ出力する。２次元ＹＣ分離部（２０）は、入力された映像信号のライン間の相関をとることにより、輝度信号とクロマ信号を分離する。そして、分離されたクロマ信号は、クロマ復調部（２１）へ出力され、クロマ復調部（２１）は、クロマ信号をＵ信号及びＶ信号に復調する。
【０００５】
また、前述した端子Ｔの出力、ラインメモリ（２２Ａ）出力、ラインメモリ（２２Ｂ）出力は、カラーストライプを検出するカラーストライプ検出部（２３）へも出力される。
【０００６】
カラーストライプ検出部（２３）は、前述したカラーバースト付加期間パルスの期間に、入力された端子Ｔの出力（コンポジット信号またはセパレートクロマ信号）と、ラインメモリ（２２Ａ）出力、ラインメモリ（２２Ｂ）出力との相関関係を利用して、カラーストライプ信号の検出を行う。カラーバースト信号を図７に示す。
【０００７】
ここで、相関関係に関して説明する。ＮＴＳＣモードの映像信号においては、隣り合うライン間において、色副搬送波の位相差は１８０°であるからライン間で足し算をすれば、互いに打ち消しあい、相関がとれる。また、ＰＡＬモードの映像信号においては、隣り合うライン間において、色副搬送波の位相差は９０°であるから、１ライン挟んだ２ライン間で足し算をすれば、互いに打ち消しあい、相関がとれる。これらのことを利用し、カラーストライプの検出を行う。カラーストライプ検出部（２３）は一般に使用されているものであるので内部構成の詳細な説明は省略する。
【０００８】
図３は、ＮＴＳＣモードの映像信号と、カラーバースト付加期間パルスの関係、及び、相関関係からの検出・判定を図化したものである。上記相関関係の説明より、反転軸は１本しか存在しないことに着目すれば、隣り合うライン間の相関から検出できる。カラーバースト付加期間パルスがアクティブの時に、隣り合うライン間において相関がとれない場合、カラーバーストの位相が反転しているとしてカラーストライプライン開始となり、次にライン間の相関がとれない場合が通常のカラーバーストに戻ったラインとなる。
【０００９】
【発明が解決しようとする課題】
ＰＡＬモードにおいてもライン間に相関関係があることから、上記のように、各モードにおけるライン間の相関関係を利用すれば、カラーストライプ付加ラインを検出することができる。しかし、ＰＡＬモードの時は、反転軸が、Ｕ軸のみ、Ｖ軸のみ、ＵＶ両軸と、３本存在するため、これら全てに対応できる相関関係からの検出方法を考えると、検出条件が複雑になる。つまり、ライン間の相関が単純な映像信号であれば、この検出方法でも対応できるが、相関が複雑な時には対応が困難であり、また、ライン間の相関のみから、想定しうるカラーストライプ付加形式に対応できるような検出方法を用いたとしても、カラーストライプ検出部の回路構成が複雑になるという課題がある。
【００１０】
また、セパレート信号入力時は、ＹＣ分離を動作させる必要がないため、ＹＣ分離動作のためラインメモリ動作は必要ない。ところが、従来の構成では、カラーストライプ検出動作のため、セパレート信号入力時でもラインメモリを動作させる必要があるという課題がある。
【００１１】
【課題を解決するための手段】
上記課題を解決するため、本発明は以下のような手段を講じた。
【００１２】
即ち、本発明に係る映像信号処理装置は、輝度信号と変調された色信号にコピー禁止信号が重畳された映像信号を処理する映像信号処理装置において、前記映像信号のカラーバースト部を検出するカラーバースト部検出手段と、該カラーバーストに応じて前記変調された色信号を復調する色信号復調手段と、前記映像信号から同期信号を分離する同期分離手段と、前記映像信号が標準信号であるか否かを判別する非標準判別手段と、前記復調された色信号と前記分離された同期信号と前記判別された非標準判別信号とから前記コピー禁止信号を検出するコピー禁止信号検出手段と、を具備するようにした。
【００１３】
ここで、上記映像信号処理装置は、更に、前記コピー禁止信号検出手段での検出結果を基にコピー禁止信号が重畳されているか否かを判定する判定手段を具備することが好ましい。
【００１４】
また、上記映像信号処理装置において、前記非標準判別手段で前記映像信号が非標準信号であると判定された場合、前記コピー禁止信号検出手段の検出結果または前記判定手段の判定結果を無効とすることが好ましい。
【００１５】
更に、上記映像信号処理装置において、前記色信号復調手段は、前記カラーバーストの位相が不連続である場合、位相の変化に追従して復調を行う手段を具備することが好ましい。
【００１６】
【発明の実施の形態】
本発明の１実施形態について、図１、図４、図５、図６に基づき以下説明する。図１は本発明の構成を示す図である。本発明の構成は、入力された映像信号から水平同期信号と垂直同期信号を分離する同期分離部１、入力された映像信号が標準信号か、非標準信号かを判別する非標準判別部２、同期分離によって得られた水平同期信号と垂直同期信号からカラーバースト付加期間を判別するためのパルスを生成するカラーバースト付加期間パルス生成部３、１ライン分のＦＩＦＯ形式のメモリであるラインメモリ部６ａ、６ｂ入力された映像信号のライン間の相関をとることにより、輝度信号とクロマ信号を分離する２次元ＹＣ分離部７、セパレートクロマ信号または２次元ＹＣ分離よって得られたクロマ信号をＵ信号及びＶ信号に復調するクロマ復調部４、カラーストライプ信号を検出するカラーストライプ検出部５、検出結果から、最終的なカラーストライプ有無判定を行うホストマイコン８を備える。
【００１７】
以下、動作説明する。図１において、本発明の検出・判定装置には、コンポジット信号またはセパレート信号が入力される。コンポジット信号入力時は、コンポジット信号がライン１２に入力され、セパレート信号入力時は、セパレート輝度信号がライン１２に、セパレートクロマ信号がライン１７に入力される。ライン１２は非標準判別部（２）に接続され、非標準判別部（２）はコンポジット信号またはセパレート輝度信号の非標準判別を行う。これにより、トリックモード等の信号が検出できる。非標準判別結果は、カラーストライプ検出部（５）へ出力され、カラーストライプの有無判定に用いられる。
【００１８】
また、ライン１２は同期分離部（１）に接続され、同期分離部（１）は、入力された信号（コンポジット信号またはセパレート輝度信号）から水平同期信号と垂直同期信号を分離する。同期分離によって得られた垂直同期信号（１４）は、カラーストライプ検出部（５）へ出力される。また、同期分離によって得られた水平同期信号（１３）はカラーストライプ検出部（５）へ出力されるとともに、カラーバースト付加期間パルス生成部（３）に出力される。カラーバースト付加期間パルス生成部（３）は、カラーバースト付加期間を判別するためのカラーバースト付加期間パルスを生成する。生成されたカラーバースト付加期間パルスは、クロマ復調部（４）へ出力される。
【００１９】
更に、ライン１２は２次元ＹＣ分離部（７）に接続され、コンポジット信号またはセパレート輝度信号が２次元ＹＣ分離部（７）に入力される。また、ライン１２はラインメモリ（６Ａ）に接続され、コンポジット信号またはセパレート輝度信号は、ラインメモリ（６Ａ）にて遅延され、２次元ＹＣ分離部（７）に入力される。更に、ラインメモリ（６Ａ）にて遅延され信号はラインメモリ（６Ｂ）へも出力され、更に、遅延され、２次元ＹＣ分離部（７）に出力される。入力された信号がコンポジット信号の場合は、ＹＣ分離部（７）により、輝度信号とクロマ信号に分離され、分離されたクロマ信号（１６）が、クロマ復調部（４）に出力される。入力された信号がセパレート信号の場合は、セパレートクロマ信号（１７）は直接クロマ復調部（４）に入力される。
【００２０】
クロマ復調部（４）に入力されたクロマ信号（１６）は、内部でＵ信号とＶ信号に復調され、先にカラーバースト付加期間パルス生成部（３）にて生成されたカラーバースト付加期間パルス生成（１１）により、カラーバーストＵ軸成分（９）、カラーバーストＶ軸成分（１０）がカラーストライプ検出部（５）に入力される。
【００２１】
ここで、クロマ復調装置（４）は、クロマ信号をＵ信号、Ｖ信号に復調する際、入力された信号（コンポジット信号またはセパレート信号）がＮＴＳＣモードであれば、クロマ復調部（４）から出力されるカラーバーストＵ軸成分（９）、及びＶ軸成分（１０）は、入力されたクロマ信号（１６）に付加しているカラーバーストをＵ軸成分，Ｖ軸成分の両成分に復調したそのものを出力し、ＰＡＬモードであれば、出力するカラーバースＵ軸成分（９）は、入力されたクロマ信号に付加しているカラーバーストをＵ軸成分に復調したそのものを出力し、カラーバーストＶ軸成分（１０）は、前ラインのＶ軸カラーバースト後半部分の復調結果が正の値のとき、強制的に復調結果を反転させたものを出力できるようなクロマ信号復調結果を出力する。
【００２２】
入力された信号（コンポジット信号またはセパレート信号）が、通常のＮＴＳＣ映像信号のときは、カラーバーストＵ軸成分（９）は常に負、カラーバーストＶ軸成分（１０）は常に０レベルとなる。また、通常のＰＡＬ映像信号のときは、カラーバーストＵ軸成分（９）は常に負、カラーバーストＶ軸成分（１０）は常に正となる。
【００２３】
カラーストライプ付加のＮＴＳＣ映像信号のときは、カラーバーストＵ軸成分（９）は通常カラーバーストならば常に負、ストライプ付加ならば、その部分だけ正、カラーバーストＶ軸成分（１０）は常に０となる。カラーストライプ付加のＰＡＬ映像信号のときは、カラーバーストＵ軸成分（９）は、通常カラーバーストならば常に負、ストライプ付加ならば、その部分だけ正、カラーバーストＶ軸成分（１０）は、カラーバースト前半部ストライプ付加ならば、その部分だけ負、カラーバースト前後半部ストライプ付加ならば、ラインの前後関係に応じて正または負となる。
【００２４】
ここで「その部分だけ」というのは、カラーストライプの付加方式には、カラーバースト期間を２つに分割したときの前半部だけの位相反転させる場合、及び、前後半ともに反転させる場合が存在するために採用した表現である。
【００２５】
カラーストライプ検出部（５）では、位相が反転しているカラーバーストＵ軸成分、カラーバーストＶ軸成分を検出する。同期分離（１）によって得た垂直同期信号（１４）を基準とし、上記検出結果から、１フィールド中のバースト反転ラインの数をカウントする。この数値により、カラーストライプが付加されたフィールドかそうでないかを判定する。上記判定により、カラーストライプ付加フィールドの数をカウントし、３２フィールド中に存在するカラーストライプ付加フィールドの数をホストマイコン（８）に知らせる。
【００２６】
ホストマイコン（８）は、上記３２フィールド中の検出・判定結果を受け、最終的な判定を行う。３２フィールド中に規定値以上のカラーストライプ付加フィールドが存在し、かつ、非標準判別部（２）の判別結果により、入力された信号が、非標準信号でないと判別されている場合、入力された信号には、カラーストライプが付加されていると判定し、記録動作を止める等の、コピーガード検出時の具体的な動作に移行する。
【００２７】
次に、クロマ復調部（４）から出力される、カラーストライプが付加されていない場合のカラーバーストＵ軸成分（９）、カラーバーストＶ軸成分（１０）、及び、カラーバースト付加期間パルス（１１）との関係を、図４、図５に示す。図４は、入力された信号がＮＴＳＣモードの時で、図５は、ＰＡＬの時である。入力された信号が、カラーストライプが付加されていないＮＴＳＣモードの時、クロマ復調部（４）から出力されるカラーバーストＵ軸成分（９）は常に負、カラーバーストＶ軸成分（１０）は常に０になる。
【００２８】
入力された信号が、カラーストライプが付加されていないＰＡＬモードの時、本来、クロマデコーダから出力されるカラーバーストＵ軸成分（９）は常に負、カラーバーストＶ軸成分（１０）は１ラインごとに正または負になるが、前述したクロマ復調部（４）の動作により、クロマ復調部（４）から出力されるカラーバーストＵ軸成分（９）は常に負、カラーバーストＶ軸成分（１０）は常に正となる。図６に、クロマ復調部（４）から出力される、カラーストライプが付加されている場合のカラーバーストＵ軸成分（９）、カラーバーストＶ軸成分（１０）及び、カラーバースト付加期間パルス（１１）との関係を示す。
【００２９】
次に、カラーストライプ付加の検出・判定の動作手順を簡単に示す。まず、バースト付加期間パルスが有効時の、クロマ分解部から出力されるカラーバーストＵ軸成分、及びカラーバーストＶ軸成分の極性から、位相が反転しているカラーバーストを検出する。このようなカラーバーストが、１フィールド中に規定値以上存在した場合、そのフィールドは、カラーストライプが付加されたフィールドと判定する。
【００３０】
次に、このようなフィールドが３２フィールド中に何フィールド存在したかをホストマイコンに知らせ、最終的な判定をホストマイコンに委ね、このようなフィールドが、映像信号に規定値以上含まれていた場合、入力された映像信号には、カラーストライプが付加されていると判定する。ただし、非標準判別により、入力された映像信号が非標準信号と判別されている時には、以上の判別結果は無効とする。ここでの規定値とは、ホストマイコンにより、ソフトウエア的に自由に設定できる値とする。このような動作手順による検出方法を採用することにより、装置全体として無駄が少なく、誤検出を防ぎ、柔軟性と信頼性のある検出が可能になる。
【００３１】
本発明は、コピー禁止対策として、映像信号に付加されるカラーストライプ信号の検出および判定の発明であり、入力される映像信号の規格（ＮＴＳＣ・ＰＡＬ）、方法（コンポジット・セパレート）に対して柔軟に対応できる。また、入力される映像信号の非標準判別結果を検出結果に反映させること、及び最終的な有無判定をホストマイコンに委ねることにより、誤検出を防ぎ、信頼性の高い検出が可能となる。
【００３２】
【発明の効果】
本発明に係る映像信号処理装置によれば、従来の、ライン間の相関関係を利用した検出装置では対応することが困難であった複雑なカラーストライプ付加方式に対して柔軟に対応することが可能な検出装置を実現することができる。また、セパレート信号入力時は、ＹＣ分離を動作させる必要がないため、従来、カラーストライプ検出動作のために動作させていたラインメモリ動作が不要となり、省電力化を実現することができる。また、入力された映像信号が非標準信号か否かを判定する手段を設け、映像信号が非標準信号と判定されたとき判定結果を無効とすることにより、映像信号が乱れた時等に生じる可能性があるカラーストライプの誤検出を防ぐことができる。
【００３３】
更に、同期分離手段によって得られた複数の垂直同期信号によりカウントされた複数のフィールドでカラーストライプ付加と判定したとき、カラーストライプ付加信号であると判定することにより、映像信号が乱れた時等に生じる誤検出を防ぎ、柔軟性と信頼性のある検出が可能になる。
【００３４】
加えて、ＮＴＳＣモードの映像信号に対する付加カラーストライプ検出は、マクロビジョン社により、カラーバースト前半部をＵ軸に対して位相を１８０°反転した形式のものと規定されているため、このカラーバースト位相の不連続を検出・判定することで、規定を満足する装置を実現することができる。
【００３５】
同様に、ＰＡＬモードの映像信号に対する付加カラーストライプ検出は、マクロビジョン社により、カラーバースト前後半部または前半部をＵ軸に対してのみ位相を１８０°反転したものと、カラーバースト前後半部または前半部をＶ軸に対してのみ位相を１８０°反転したものと、カラーバースト前後半部または前半部をＵ軸とＶ軸両方に対して位相を１８０°反転した形式のものと規定されているため、このカラーバースト位相の不連続を検出・判定することで、規定を満足する装置を実現することができる。
【図面の簡単な説明】
【図１】本発明にかかる映像信号処理装置の概略図である。
【図２】従来の映像信号処理装置の概略図である。
【図３】ＮＴＳＣモードの映像信号と、カラーバースト付加期間パルスの関係、及び、ライン間の相関関係からの検出・判定図である。
【図４】入力された映像信号がＮＴＳＣモード時のクロマ復調部から出力されるカラーストライプが付加されていないカラーバーストＵ軸成分、Ｖ軸成分、付加期間パルスとの関係図である。
【図５】入力された映像信号がＰＡＬモード時のクロマ復調部から出力されるカラーストライプが付加されていないカラーバーストＵ軸成分、Ｖ軸成分、付加期間パルスとの関係図である。
【図６】クロマ復調部から出力されるカラーストライプが付加されているカラーバーストＵ軸成分、Ｖ軸成分、付加期間パルスとの関係図である。
【図７】カラーストライプが付加せれていない通常のカラーバースト、及び、カラーバーストが付加されているカラーバーストの波形図である。
【符号の説明】
１、１８・・同期分離部
２・・非標準判別部
３、１９・・カラーバースト付加期間生成部
４、２１・・クロマ復調部
５、２３・・カラーストライプ検出部
６Ａ、６Ｂ、２２Ａ、２２Ｂ・・本発明のラインメモリ部
７、２０・・２次元ＹＣ分離部
８・・ホストマイコン
９・・クロマ復調部４から出力されるカラーバーストＵ軸成分
１０・・クロマ復調部４から出力されるカラーバーストＶ軸成分
１１・・カラーバースト付加期間生成部３から出力されるカラーバースト付加期間パルス
１２、２４・・入力されるコンポジットまたはセパレート輝度信号
１３・・同期分離部１から出力される水平同期信号
１４・・同期分離部１から出力される垂直同期信号
１５・・非標準判別部２から出力される映像信号１２に対する標準・非標準判別結果
１６・・２次元ＹＣ分離部７から出力されるクロマ信号
１７、２５・・セパレートクロマ信号
２６・・ラインメモリ部２２Ａから出力される映像信号出力
２７・・ラインメモリ部２２Ｂから出力される映像信号出力
【図１】
0003745695.tif 000002
【図２】
0003745695.tif 000003
【図３】
0003745695.tif 000004
【図４】
0003745695.tif 000005
【図５】
0003745695.tif 000006
【図６】
0003745695.tif 000007
【図７】
0003745695.tif 000008